(57)【要約】【課題】カラー若しくは白色などの同時に重ねてプリントすることのできないＵＶインクジェットプリンタにおいてプリント効率を向上する。【解決手段】プリントヘッドモジュール内にカラーのインクジェットヘッドと指定の色を具えたインクジェットヘッドのいずれかに印刷ラインの前後方向に印刷ライン上で重複しないように相互に１ピッチ分上位置をずらす変位制御機構を設ける。  一方の色のプリントヘッド３を、他のカラープリントヘッド２に対して印刷方向前方に印刷ライン１ピッチ分位置をずらしてプリントし、次いでプリントヘッド３を逆に印刷方向後方に位置をずらし、印刷ラインを１ピッチ進行した位置でプリントする。【選択図】図３
2008149547.tif 000002
【特許請求の範囲】
【請求項１】
大型ＵＶインクジェットプリンタのプリント操作において、
ａ. プリントヘッドモジュールに配置した複数のインクヘッドのうち、少なくとも１つのインクヘッドに、印刷ライン上で相互に重複しないように印刷方向の前後に位置をずらす変位制御機構を設け、
ｂ.その変位制御機構を制御してインクヘッドをプリントヘッドモジュール上で印刷ライン１ピッチ分変位して他のインクヘッドと位置をずらした後、プリント出力を行うことを特徴とする大型ＵＶインクジェットプリンタのプリント方法。
【請求項２】
前記変位制御機構は、機械式、もしくは電子式の制御機構であって、コンピュータで動作制御することを特徴とする請求項１記載の大型ＵＶインクジェットプリンタのプリント方法。
【請求項３】
前記複数のインクヘッドはカラーインクヘッドと指定色を具えたインクヘッドであって、それぞれが上記変位制御機構を備え、その変位制御機構を起動することによって、カラーインクヘッドもしくは指定色を具えたインクヘッドが変位し、相互の位置をずらしてからプリントを出力することを特徴とする請求項１記載の大型ＵＶインクジェットプリンタのプリント方法。
【請求項４】
前記複数のインクヘッドはカラーインクヘッドと指定色を具えたインクヘッドであって、前記カラーインクヘッドと指定色を具えたインクヘッドは、それぞれを上述の変位制御機構に連接し、その変位制御機構を操作することによりカラーインクヘッドと指定色を具えたインクヘッドは同時に反対方向へ変位し、二つのインクヘッドが位置をずらした後、プリント出力することを特徴とする請求項１記載の大型ＵＶインクジェットプリンタのプリント方法。
【請求項５】
前記複数のインクヘッドはカラーインクヘッドと指定色を具えたインクヘッドであって、前記カラーインクヘッドと指定色を具えたインクヘッドは、大型ＵＶインクジェットプリンタのプリントヘッドモジュール内に設置することを特徴とする請求項１記載の大型ＵＶインクジェットプリンタのプリント方法。
【請求項６】
前記指定色は、白色、透明色もしくはその他一般もしくは特殊要求の色とすることを特徴とする請求項１記載の大型ＵＶインクジェットプリンタのプリント方法。
【請求項７】
カラーインクヘッドと少なくとも一組の指定色を具えたインクヘッドを設置する大型ＵＶインクジェットプリンタのプリントヘッドモジュールにおいて、そのうち、
少なくともひとつのインクヘッド上に変位制御機構を設け、そのインクヘッドは、変位制御機構の制御を受けて、プリントヘッドモジュール上で相互に印刷ライン上で重複しないように一定距離変位し、他のインクヘッドと印刷ライン１ピッチ分位置をずらした後、プリント出力することを特徴とする大型ＵＶインクジェットプリンタのプリントヘッドモジュール。
【請求項８】
前記変位制御機構は、機械式、もしくは電子式の制御機構で、コンピュータで動作を制御することを特徴とする請求項７記載の大型ＵＶインクジェットプリンタのプリントヘッドモジュール。
【請求項９】
前記カラーインクヘッドと指定色を具えたインクヘッドは、それぞれに上述の変位制御機構を設けて、変位制御機構が作動することによりカラーインクヘッドもしくは指定色を具えたインクヘッドが相互に印刷ライン１ピッチ分変位し、二つのインクヘッドの位置をずらした後、プリント出力することを特徴とする請求項７記載の大型ＵＶインクジェットプリンタのプリントヘッドモジュール。
【請求項１０】
前記カラーインクヘッドと指定色を具えたインクヘッドは、それぞれに上述の変位制御機構を設け、その変位制御機構を作動することにより、カラーインクヘッドと指定色を具えたインクヘッドが同時に反対方向へ変位し、二つのインクヘッドの位置を相互に印刷ライン１ピッチ分ずらした後、プリント出力することを特徴とする請求項７記載の大型ＵＶインクジェットプリンタのプリントヘッドモジュール。
【請求項１１】
前記指定色は、白色、透明色もしくはその他一般もしくは特殊要求の色であることを特徴とする請求項７記載の大型ＵＶインクジェットプリンタのプリントヘッドモジュール。
【発明の詳細な説明】
【技術分野】
【０００１】
本発明は、大型ＵＶインクジェットプリンタのプリント効率の改善方法及びその方法を使用したプリントヘッドモジュールに関するもので、カラーもしくは指定色を具えたインクヘッドの変位を制御し、二つのインクヘッドの位置をずらした後、プリント出力する方法により、プリント効率が大幅に高まり、大型ＵＶインクジェットプリンタに適用するものである。
【背景技術】
【０００２】
コンピュータもしくは印刷業の周辺設備において、プリンタはすでに必須の基本設備のひとつで、文書、レポートを印刷する他に、カラーインクジェット技術の進歩により、インクジェットプリンタは異なる色のインクカートリッジを同じ位置に異なる濃度、色を吹き付けて、表現したい色彩を出す。これによって、プリンタ印刷で写真と同じ品質のレベルも夢ではない。
【０００３】
印刷業にとって、インクジェット製品は世界の趨勢であり、少量多様な製品が何時でもインクジェットプリンタを運用することにより、スピーディに作成することができ、ネット版の色分け時間と仕事量を軽減する。
【０００４】
図１に示すのは、公知の大型ＵＶインクジェットプリンタのプリントモジュールＡ上にインクヘッドＢを配列したものであり、カラーインクヘッドＢ１と指定の色彩を具えたインクヘッドＢ２の同一列に配列されている。プリントする時、プリントもしくは被プリント物Ｃの要求により、先ずカラーをプリントした後で白色をプリントするか、もしくは白色をプリントした後でカラーをプリントするが、いずれにせよ先ずカラーもしくは白色の一方のプリントを先に実行する。例を挙げると、白色をプリント出力する場合、カラーインクヘッドＢ１と指定色を具えたインクヘッドＢ２を同列に配列しているため、先ずカラー部分を制御して出力せず、白色部分を先にプリント出力する。白色のプリントが完了し、白色部分を出力しないように制御してからカラー部分をプリント出力する。ところが、同一のプリントモジュールＢ上にカラーインクヘッドＢ１と指定色のインクヘッドＢ２を配列しているので、インクヘッドＢ全体は半分の噴射速度と半分の印刷効率しか得られない。
【特許文献１】特表２００５−５３２９２号公報
【発明の開示】
【発明が解決しようとする課題】
【０００５】
解決しようとする問題点は、プリント操作が無駄で、且つプリント出力効率が悪い点である。
【課題を解決するための手段】
【０００６】
本発明は、プリントヘッドモジュール内に配列されたカラーのインクジェットヘッドと指定の色を具えたインクジェットヘッドの少なくともそのうちの一方のインクジェットヘッドにプリント位置をずらす変位制御構造を接続し、その変位制御構造を制御して、インクジェットヘッドをプリントヘッドモジュール内で一定距離変位して、
印刷位置を重ならないようにずらして同時にプリント出力することを
別のインクジェットヘッドに切り換えた後、プリント出力することを最も主要な特徴とする。
【発明の効果】
【０００７】
本発明の大型ＵＶインクジェットプリンタのプリント効率の改善方法及びその方法を使用したプリントヘッドモジュールは、ＵＶインクジェットプリンタがカラーもしくは白色のうち、どちらを先にプリントするのかに係わりなく、どちらでも良好な出力効率を得ることができるという利点がある。
【発明を実施するための最良の形態】
【０００８】
本発明の主な目的は、カラーもしくは指定色を具えたインクヘッドの変位により、二つのインクヘッドが位置をずらした後にプリント出力することにより、プリント効率を大幅に高めた大型ＵＶインクジェットプリンタのプリント効率改善方法を提供することにある。
【０００９】
上述の目的のため、本発明は、プリントヘッドモジュール内に設置したカラーインクヘッドと指定色を具えたインクヘッドのうち、少なくともそのうちの一方のインクヘッドに変位制御機構を連接し、変位制御機構を制御してインクヘッドをプリントヘッドモジュール上で一定距離変位させ、他方のインクヘッドと位置をずらした後、プリント出力する。ＵＶインクジェットプリンタがカラーもしくは白色のうち、どちらを先にプリントするのかに係わりなく、どちらのモードでも良好な出力効率を得ることができる。
【実施例１】
【００１０】
図２〜図５に示すのは、本発明の大型ＵＶインクジェットプリンタのプリント効率を改善する方法の一実施例で、下述のステップを含む。
ａ.カラーインクヘッド、もしくは指定色のインクヘッドは少なくともそのうちのひとつのインクヘッドに対して変位制御機構に連接（接続）する。
ｂ.この変位制御機構によりそのインクヘッドをプリントヘッドモジュール上で一定距離（プリント位置が重複しない間隔）変位させ、他のインクヘッドと位置をずらした後、プリント出力する。
【００１１】
この変位制御機構１は、機械式、もしくは電子式の制御でコンピュータによって作動する。これはインクヘッドを駆動して移動するもので、その構造は公知の各式の機械式、もしくは電子式の制御機構(例えば、電子的なセンサーとモータ駆動機構を組合わせるなど)をインクヘッドに連接して制御する。これらの手段、機構は広く知られているものを採用すればよく、当業者が任意に採用できるものであるから、ここでは説明を省略する。
【００１２】
実施時、図３〜図５に示すとおり、変位制御機構１を備えたカラーインクヘッド２と指定色を具えたインクヘッド３を大型ＵＶインクジェットプリンタのプリントヘッドモジュール４内に設置した後、ユーザはその時の印刷に必要な、もしくはプリント物件５に応じた配色を確定し、先ずカラー、または少なくとも一組の指定色(この指定色は白色、透明色もしくはその他一般もしくは特殊な色とする、本実施例では白色を例とする)を出力し、コンピュータでこの変位制御機構１を制御し、変位制御機構１と連接したカラーインクヘッド２、もしくは指定色を具えたインクヘッド３を印刷ライン上で重複しない位置に移動する。図４に示すのは、変位制御機構１を、指定色を具えたインクヘッド３に連接した例で、先ず白色をプリントした時、この変位制御機構１が指定色を具えたインクヘッド３を制御してプリントヘッドモジュール４内に於いて、前方向へ一定距離変位し、その指定色を具えたインクヘッド３とカラーインクヘッド２の位置をずらし、これによってプリントをスタートした時、先行する印刷ラインで白色がプリントされ、次の印刷ライン上にカラーがプリントされる。
【００１３】
次に、図５に示すように変位制御機構１は指定色を具えたインクヘッド３を逆にプリントヘッドモジュール４内で印刷ライン１ピッチ分後方に変位させ、指定色を具えたインクヘッド３とカラーインクヘッドの位置を入れ換える。したがって、印刷ヘッドが印刷ラインを１ピッチ前進してプリントをスタートした時、先に白色がプリントされた印刷ライン上にカラーインクヘッド２によりカラーがプリントされ、先にカラーが印刷された印刷ライン上に白色がプリントされる。
以上により、印刷ライン２ピッチに対して、プリントヘッドは２回の印刷工程で印刷を完了することができる。
【実施例２】
【００１４】
この他、図６〜図８に示すとおり、本発明はカラーインクヘッドと指定色を具えたインクヘッド３のそれぞれに上述の変位制御機構１に連接し、その変位制御機構１を起動させることにより、カラーインクヘッド２と指定色を具えたインクヘッド３をそれぞれに変位し、例えば先行印刷ライン上に白色をプリントするときは、指定色を具えたインクヘッド３は前方に変位し(図７参照)、またカラーを先行印刷ライン上にプリントするときには、カラーインクヘッド２を前方に変位し（図８参照）、二つのインクヘッドの位置をずらした後、プリント出力される。更にカラーインクヘッド２と指定色を具えたインクヘッド３は同時に相反する方向へそれぞれ印刷ライン半ピッチ分変位し(図未提示)、この二つのインクヘッド２，３の位置をずらした後、続けてプリント出力しても、同様にプリント出力の範囲が拡大され、プリント速度が向上する。
【００１５】
これによって、本発明は、大型ＵＶインクジェットプリンタのプリントヘッドモジュールにおいて、カラーインクヘッド２と指定色を具えたインクヘッド３を配置し、これらのインクヘッド２もしくは３のいずれかを変位制御機構１で制御してカラーインクヘッド２と指定色を具えたインクヘッド３の相互の位置を印刷ライン上で重複しないようにプリントヘッドモジュール４において一定距離変位してプリント出力し、次いでこれらの位置関係を逆に入れ換え、印刷ラインを１ピッチ前進してプリントすることにより、ＵＶインクジェットプリンタは、カラーもしくは白色のどちらを先にプリントするかに係わらず、どちらでも良好な出力効率を得ることができる。
【００１６】
上述は、本発明の実施形態を説明するためだけであり、本発明の範囲を限定するものではない。本発明に於ける変化、修飾はすべて本発明の内容と看做す。
【図面の簡単な説明】
【００１７】
【図１】公知の大型ＵＶインクジェットプリンタモジュールでプリントした時の状態指示図である。
【図２】本発明の大型ＵＶインクジェットプリンタのプリント公立を改善する方法のステップ指示図である。
【図３】本発明の実施例のフローチャートである。
【図４】本発明の実施例で先に白色プリントした場合の状態指示図である。
【図５】本発明の実施例で先にカラープリントした場合の状態指示図である。
【図６】本発明の別の実施例のフローチャートである。
【図７】本発明の別の実施例で先に白色プリントした場合の状態指示図である。
【図８】本発明の別の実施例で先にカラープリントした場合の状態指示図である。
【符号の説明】
【００１８】
Ａ        プリントモジュール
Ｂ        インクジェットヘッド
Ｂ１      カラーインクジェットヘッド
Ｂ２      指定の色を具えたインクジェットヘッド
Ｃ        被プリント物
１        変位制御構造
２        カラーインクジェットヘッド
３        指定の色を具えたインクジェットヘッド
４        プリントヘッドモジュール
５        プリント物件
【図１】
2008149547.tif 000003
【図２】
2008149547.tif 000004
【図３】
2008149547.tif 000005
【図４】
2008149547.tif 000006
【図５】
2008149547.tif 000007
【図６】
2008149547.tif 000008
【図７】
2008149547.tif 000009
【図８】
2008149547.tif 000010